(57)【特許請求の範囲】
【請求項１】
一方材と、一方材にネジ止め固定される他方材と、一方材と他方材との間に介在されて両部材間のつぶれを防止するつぶれ防止部品とを有し、
他方材を構成する壁部であって一方材にネジ止め固定される壁部には、位置決め孔が形成されているとともに、一方材に対向する面に被係止片が形成されており、
つぶれ防止部品は、ネジ孔が貫通している柱状の本体部と、本体部の外周に形成される係止腕と、本体部の一方の底面に形成される位置決め凸部とを備え、
つぶれ防止部品の位置決め凸部が他方材の位置決め孔に嵌入されるとともに、つぶれ防止部品の係止腕が他方材の被係止片に係止されることで、つぶれ防止部品が他方材に取り付けられており、
一方材と他方材とがつぶれ防止部品を挟んでネジ止め固定されてなる
ことを特徴とする建築構造体。
【発明の詳細な説明】
【技術分野】
【０００１】
一方材と他方材を連結してなり、例えば種々の開口部構造に対応できる建具等の建築構造体に関する。
【背景技術】
【０００２】
従来、建物等の開口部に窓種の異なる建具を配置するために、開口部に固定された枠体の内周に補助枠を取り付けてなる建具が知られている。（特許文献１）
【先行技術文献】
【特許文献】
【０００３】
【特許文献１】特開平１０−６８２６９号公報
【発明の概要】
【発明が解決しようとする課題】
【０００４】
このような枠体に対して補助枠を取り付ける建具において、枠体に補助枠をネジ止め固定する時には、ネジの締め込みすぎ等によって枠体と補助枠との間がつぶれてしまうことがあった。このような枠体と補助枠との間のつぶれを防止するためには、枠体と補助枠との間につぶれ防止部品を配置することが有効である。しかし、つぶれ防止部品を両面テープや接着剤を利用して取り付けるのでは、つぶれ防止部品を取り付ける位置合わせが施工のたびに必要となり、また、施工中につぶれ防止部品がずれたり、落下するなど取付作業が繁雑なものとなる。
【０００５】
本発明は、上記の事情を鑑みたものであり、主材に対して補助材を取り付けるに際して、さらにいえば一方の部材（一方材）に対して他方の部材（他方材）を取り付けるに際して、一方材と他方材との間につぶれが生じるのを防止することができ、単純な作業で確実に両部材を接合することができる建築構造体を提供することを目的とする。
【課題を解決するための手段】
【０００６】
本発明は、一方材と、一方材にネジ止め固定される他方材と、一方材と他方材との間に介在されて両部材間のつぶれを防止するつぶれ防止部品とを有し、他方材を構成する壁部であって一方材にネジ止め固定される壁部には、位置決め孔が形成されているとともに、一方材に対向する面に被係止片が形成されており、つぶれ防止部品は、ネジ孔が貫通している柱状の本体部と、本体部の外周に形成される係止腕と、本体部の一方の底面に形成される位置決め凸部とを備え、つぶれ防止部品の位置決め凸部が他方材の位置決め孔に嵌入されるとともに、つぶれ防止部品の係止腕が他方材の被係止片に係止されることで、つぶれ防止部品が他方材に取り付けられており、一方材と他方材とがつぶれ防止部品を挟んでネジ止め固定されてなることを特徴とする。
【発明の効果】
【０００７】
本発明によれば、他方材につぶれ防止部材を簡単に取り付けることができ、つぶれ防止部品を取り付けた状態で一方材に配置してネジ止め固定することができるので、一方材と他方材との間のつぶれを防止することができ、つぶれ防止部品の位置決めが簡単で施工性を向上させることができる。
【図面の簡単な説明】
【０００８】
【図１】本発明の実施形態に係る採風ドアの外観図である。
【図２】本発明の実施形態に係る採風ドアの内観図である。
【図３】本発明の実施形態に係る採風ドアにおける、図１のａ−ａ断面図である。
【図４】本発明の実施形態に係る採風ドアにおける、図１のｂ−ｂ断面図である。
【図５】本発明の実施形態に係る採風ドアの横断面図である。
【図６】本発明の実施形態に係る採風ドアに用いられるつぶれ防止部品の図であり、（ａ）は平面図であり、（ｂ）は正面図であり、（ｃ）は側面図である。
【図７】本発明の実施形態に係る採風ドアの縦框の断面図であり、（ａ）は補助縦框とつぶれ防止部品の図であり、（ｂ）はつぶれ防止部品を取り付けた補助縦框及び縦框の断面図であり、（ｃ）は縦框につぶれ防止部品を介して補助縦框を取り付けた状態の断面図である。
【発明を実施するための形態】
【０００９】
（建具の全体構成）
本発明の建築構造体を、ひとつの実施形態として建物の勝手口等の開閉のために設置される採風ドアを例にあげて説明する。
本発明の実施形態に係る採風ドアは、図１、２に示すように、上枠１１，下枠１２及び左、右縦枠１３，１４を四周に組んでなり、建物の開口部に設置されてなる枠体１に対して、上框２１、下框２２及び左、右縦框２３，２４を四周に組んでなる框枠の内周にパネル等が装着されてなる主障子であるドア本体（主障子）２をヒンジｈにより開閉自在に支持して構成されている。
ドア本体（主障子）２の内観視で右側部分にはガラス等のパネル体２６が装着されているとともに、内観視で左側部分には室内側に開放する内すべり出し窓等の副障子４が開閉自在に支持されており、副障子４の室外側には室外からの虫の侵入を防ぐための網戸５が装着されている。
【００１０】
図３に示すように、枠体１を構成する上枠１１は、建物開口部の内周を覆う上枠本体１１１と、上枠本体１１１の室内側下面より垂設されてドア本体（主障子）２の上框２１の室内側面に当接するシール部材ｓ１を保持する室内側シール保持片１１２と、上枠本体１１１の室外側下面より垂設されてドア本体２の室外側上端部に当接するシール部材ｓ２を保持する室外側シール保持片１１３とから構成されている。
同下枠１２は、建物開口部の内周を覆う下枠本体１２１と、下枠本体１２１の室内側より立ち上がる中空の室内側立上壁１２２とからなり、室内側立上壁１２２の室外側面には、ドア本体２の室内側に当接するシール部材ｓ１が保持されている。
また、図５に示すように、枠体１を構成する左、右縦枠１３，１４は、建物開口部の内周を覆う左、右縦枠本体１３１，１４１と、左、右縦枠本体１３１，１４１の室内側内周面より内周方向に延設されてドア本体２の左、右縦框２３，２４の室内側面に当接するシール部材ｓ１を保持する室内側シール保持片１３２，１４２とから構成されている。
【００１１】
ドア本体（主障子）２は、図２に示すように、内観視で左右方向やや左側位置に中縦桟２５を有しており、框枠の内周側で中縦桟２５の内観視右側にはガラス等のパネル体２６が装着されるとともに、内観視左側には副障子４が開閉自在に配置されている。
ドア本体（主障子）２を構成する上框２１は、図３に示すように、中空形状の上框本体２１１と、上框本体２１１の室外側下面より垂設される室外壁２１２と、上框本体２１１の室内側下面に設けられる押縁取付部２１３と、押縁２１４と備えている。そして、中縦桟２５の内観視右側においては、上框本体２１１の押縁取付部２１３に押縁２１４が取り付けられて、上框本体２１１の下面壁２１１ａと室外壁２１２と押縁２１４とにより、下方に開口するガラス間口２１ａが形成されている。
【００１２】
また、中縦桟２５の内観視左側においては、図４に示すように、上框本体２１１の内周（下方）につぶれ防止部品６を介して断面中空形状の補助上框３１が固定されている。
ドア本体２を構成する下框２２は、図３に示すように、中空形状の下框本体２２１と、下框本体２２１の室外端上面及び室内端上面より立設される室外壁２２２及び室内壁２２３とを備えている。そして、中縦桟２５の内観視右側においては、下框本体２２１の上面壁２２１ａと室外壁２２２と室内壁２２３とにより、上方に開口するガラス間口２２ａが形成されている。
また、中縦桟２５の内観視左側においては、図４に示すように、下框本体２２１の内周（上方）につぶれ防止部品６を介して断面中空形状の補助下框３２が固定されている。
【００１３】
ドア本体２を構成する左縦框２３は、図５に示すように、中空形状の左縦框本体２３１と、左縦框本体２３１の室外側内周面より内周方向に延設される室外壁２３２と、左縦框本体２３１の室内側内周面に設けられる押縁取付部２３３と押縁２３４を備えている。そして、左縦框本体２３１の押縁取付部２３３に押縁２３４が取り付けられ、左縦框２３の内周には、押縁２３４とつぶれ防止部品６とを介して断面中空形状の補助左縦框３３が固定されている。
ドア本体２を構成する右縦框２４は、中空形状の右縦框本体２４１と、右縦框本体２４１の室外端内周面より延設される室外壁２４２と、右縦框本体２４１の室内側内周面に設けられる押縁取付部２４３と押縁２４４を備えている。そして、右縦框本体２４１の押縁取付部２４３に押縁２４４が取り付けられて、右縦框本体２４１の下面壁２４１ａと室外壁２４２と押縁２４４とにより、内周方向（左方向）に開口するガラス間口２４ａが形成されている。
【００１４】
ドア本体２の内観視で左右方向やや左側位置に配置される中縦桟２５は、図５に示すように、中空形状の中縦框本体２５１と、中縦框本体２５１の右縦框２４と対向する面の室外側端から右縦框２４に向かって延設される室外壁２５２と、中縦框本体２５１の右縦框２４と対向する面の室内側端に設けられる押縁取付部２５３と押縁２５４を備えている。そして、中縦框本体２５１の押縁取付部２５３に押縁２５４が取り付けられて、中縦框本体２５１の右縦壁２５１ａと室外壁２５２と押縁２５４とにより、右縦框２４に向かって開口するガラス間口２５ａが形成されている。
【００１５】
上框２１及び下框２２に形成されるガラス間口２１ａ，２２ａと、右縦框２４に形成されるガラス間口２４ａと、中縦桟２５に形成されるガラス間口２５ａに対してガラス等のパネル体２６が装着されることにより、ドア本体２の内観視右側にパネル部が形成されている。
また、上框２１の下方に固定される補助上框３１と、下框２２の上方に固定される補助下框３２と、左縦框２３の内周に固定される補助左縦框３３と、中縦桟２５とによってドア本体２の内観視左側に副枠体３（図２）が構成され、副枠体３には、例えば室内側に滑り出す縦すべり出し窓等の採風障子（副障子）４が支持されて、採風部が形成されている。
【００１６】
（つぶれ防止部材による框本体に対する補助框の固定）
上記のように、本実施形態の採風ドアにおいては、四周に組んだ框枠の内周を中縦桟２５により左右に分け、内観視右側をＦｉｘ窓としている。そして、内観視左側をたて滑り窓等の採風窓に形成するために、内観視左側を構成する上框２１、下框２２及び左縦框２３の内周側に採風窓用の補助框が取り付けられており、補助框を取付けるためにつぶれ防止部品６が用いられている。
以下、つぶれ防止部品６を用いた框材（一方材）に対する補助框（他方材）の取付構造を、左縦框２３に対する補助左縦框３３の取付けを参考にして説明する。
【００１７】
つぶれ防止部品６は、例えば、図６に示すように、四角柱状の本体部６１と、本体部６１の外周面の対向する２面からそれぞれ水平方向に突出し、その後四角柱の高さ方向一方に延びる２つの係止腕６２，６３と、本体部６１の一方の底面に形成される円柱状の位置決め凸部６４とを有し、位置決め凸部６４の上面から本体部の他方の底面にかけてネジ孔６５が貫通して形成されている。
２つの係止腕６２，６３は、本体部６１からの突出位置が高さ方向に異なって設けられており、その先端部の本体部側の面には、上方から下方に行くにしたがって本体部に近づく傾斜面６２１ａ，６３１ａと傾斜面６２１ａ，６３１ａに連続して形成される係止面６２１ｂ、６３１ｂからなる係止部６２１，６３１が形成されている。
【００１８】
一方、つぶれ防止部品６によって左縦框（一方材）２３に取り付けられる補助左縦框（他方材）３３は、図７（ａ）に示すように、中空矩形状の補助左縦框本体部３３１と、補助左縦框本体部３３１の室内側外周面より外周方向に突出する外周側突出片３３２と、補助左縦框本体部３３１の室外側内周面より内周方向に突出する内周側突出片３３３とからなり、補助左縦框本体部３３１の室内側面及び内周側突出片３３３の室内側面には、副障子（採風障子）４の閉鎖時に副障子（採風障子）４との間を気密する気密材が取り付けられる取付溝３３１ｅ，３３３ａを有している。
【００１９】
補助左縦框（他方材）３３を構成する壁部であって、左縦框（一方材）２３にネジ止め固定される外周壁３３１ａには、補助左縦框（補助材）３３の長手方向に所定間隔で複数、もしくは一つの位置決め孔３３１ｂが形成されている。そして、外周壁３３１ａの左縦框（一方材）２３に対向する面（外周面）には、長手方向に沿って内外２条の被係止片３３４，３３５が位置決め孔３３１ｂを挟んで形成されている。内外２条の被係止片３３４，３３５は、突出高さを異ならせて設けられており、被係止片３３４，３３５の先端部には、先端同士が離れるように屈曲して被係止部３３４ａ，３３５ａが形成されている。
なお、補助左縦框本体部３３１の内周面を形成する内周壁３３１ｃには、位置決め孔３３１ｂの位置に合わせてネジ等を挿入するための開口部３３１ｄが形成されている。
【００２０】
そして、補助左縦框（他方材）３３を左縦框（一方材）２３に固定する際には、まず、補助左縦框本体部３３１の外周壁３３１ａに形成された位置決め孔３３１ｂに向けてつぶれ防止部品６を外周側より近づけ、位置決め凸部６４を嵌入する。このとき、補助左縦框（他方材）３３の外周壁(壁部)３３１ａの外周面に形成された内外２条の被係止片３３４，３３５の間に挟まれるようにつぶれ防止部品６が配置されるので、つぶれ防止部品６のがたつきが抑えられる。そして、内外２条の被係止片３３４，３３５の先端部に形成された被係止部３３４ａ，３３５ａにつぶれ防止部品６の係止腕６２，６３の係止部６２１，６３１の傾斜面６２１ａ，６３１ａが当接し、被係止部３３４ａ，３３５ａを乗り越えて係止面６２１ｂ、６３１ｂが係止されることによって、係止腕６２，６３が被係止片３３４，３３５に係止され、補助左縦框（他方材）３３につぶれ防止部品６を安定した状態で取り付けることができる。
【００２１】
その後、図７（ｂ）に示すように、補助左縦框本体部３３１の外周壁(壁部)３３１ａにつぶれ防止部品６を取り付けた状態で、補助左縦框（他方材）３３を左縦框（一方材）２３の所定の位置に配置することができ、配置した状態で補助左縦框本体部３３１の内周壁３３１ｃに形成した開口部３３１ｄより長ネジｂを挿入し、位置決め孔３３１ｂに嵌入された位置決め凸部６４のネジ孔６５を介して左縦框（一方材）２３に螺合する。
これにより、図７（ｃ）に示すように、左縦框（一方材）２３の内周面と補助左縦框（他方材）３３の外周壁(壁部)３３１ａの外周面につぶれ防止部材６の両底面を当接させた状態でネジ止め固定されることとなる。
すなわち、左縦框（一方材）２３と補助左縦框(他方材)３３とがつぶれ防止部品６を挟んでネジ止め固定され、長ネジｂの締め付けによる左縦框（一方材）２３と補助左縦框（他方材）３３との間のつぶれを防止することができる。
【００２２】
（採風障子及び網戸）
採風障子４は、図４，５に示すように、副上框４１，副下框４２及び左、右副縦框４３，４４を四周に組んで、その内周にガラス等のパネル体４５を装着してなり、副枠体３及び採風障子４の上下位置に設けられた支持軸３ａ，３ｂにより開閉自在に支持されている。
【００２３】
採風障子４を支持する副枠体３の室外側には、図１，５に示すように、網戸５が配置されている。
網戸５は、図１に示すように、網戸上框５１，網戸下框５２，左右の網戸縦框５３，５４を四周に組んでなる網戸框体の内周に網状体５５が装着されているとともに、図２に示すように、網戸５の網状体５５の室内側（一面側）であって上下方向略中央位置には、左右の網戸縦框５３，５４間に亘って中桟５６が配置されている。
中桟５６が取り付けられた網戸５は、副枠体３の室外側に対して、ネジ等の種々の固定手段により適宜固定される。
【００２４】
以上のように、本実施形態の採風ドアは、ドア本体に採風部を形成するために框材(一方材)に対して補助框材（他方材）をネジ等の固定手段により取り付けるに際して、ネジの締め付けすぎによる両者間のつぶれが防止でき、また、つぶれを防止するためのつぶれ防止部品が補助框材(他方材)に簡単に位置決めができ、ワンタッチで取り付けることができるので、補助框材（他方材）とつぶれ防止部品とを一体的に扱うことができ、框材(一方材)に対する補助框材（他方材）の取付けが容易となる。
また、補助框材(他方材)に対するつぶれ防止部品の取付けについて、粘着材等を用いることなく、位置決めが容易で、簡単な操作で取り付けることができ、施工を確実、簡略化して、施工時間を短縮することができる。
また、框材(一方材)に補助框材(他方材)を取り付けた後には、つぶれ防止部品が両部材の外部に露出することなく、両部材にに凹凸部等も形成されないし、意匠性にも優れている。
【００２５】
なお、本実施形態の採風ドアにおいて開示された框材に対する補助框材の取付技術は、枠材（一方材）に対する補助枠材（他方材）の取付等建築構造体一般の二部材の固定技術として採用することができ、框材と補助框材との取付技術に限定されるものではない。
また、つぶれ防止部品の係止腕及び補助框の被係止部の構成は、つぶれ防止部品を補助框に取り付けることだけを考えれば、特に限定されるものではない。すなわち、図６に示すように係止腕が本体部に対して平行に延設されていてもよいし、図７に示すように本体部に近づくように延設されていてもよく、また、両係止腕の長さは実施形態の採風ドアに使用されているもののように、異ならせてもよく、また、同一の高さを有するものでもよい。
さらにいえば、係止腕は対向して一対備えることがつぶれ防止部品を安定させる点から好ましいが、つぶれ防止部品の位置決め凸部が補助框の位置決め孔に嵌入されて係合することによって、補助枠材（補助材）に形成する係止腕は一つでもつぶれ防止部品を保持することもでき、特に係止腕の数は限定されるものではない。
【符号の説明】
【００２６】
１        ：枠体
１１      ：上枠
１１１    ：上枠本体
１１２    ：室内側シール保持片
１１３    ：室外側シール保持片
１２      ：下枠
１２１    ：下枠本体
１２２    ：室内側立上壁
１３      ：右縦枠
１３１    ：右縦枠本体
１３２    ：室内側シール保持片
１４      ：右縦枠
１４１    ：右縦枠本体
１４２    ：室内側シール保持片
２        ：ドア本体
２１      ：上框
２１ａ    ：ガラス間口
２１１    ：上框本体
２１１ａ  ：下面壁
２１２    ：室外壁
２１３    ：押縁取付部
２１４    ：押縁
２２      ：下框
２２ａ    ：ガラス間口
２２１    ：下框本体
２２１ａ  ：上面壁
２２２    ：室外壁
２２３    ：室内壁
２３      ：左縦框（一方材）
２３１    ：左縦框本体
２３２    ：室外壁
２３３    ：押縁取付部
２３４    ：押縁
２４      ：右縦框
２４ａ    ：ガラス間口
２４１    ：右縦框本体
２４１ａ  ：下面壁
２４２    ：室外壁
２４３    ：押縁取付部
２４４    ：押縁
２５      ：中縦框
２５ａ    ：ガラス間口
２５１    ：中縦框本体
２５１ａ  ：右縦壁
２５２    ：室外壁
２５３    ：押縁取付部
２５４    ：押縁
２６      ：パネル体
３        ：副枠体
３ａ，３ｂ：支持軸
３１      ：補助上框
３２      ：補助下框
３３      ：補助左縦框（他方材）
３３１    ：補助左縦框本体部
３３１ａ  ：外周壁
３３１ｂ  ：位置決め孔
３３１ｃ  ：内周壁
３３１ｄ  ：開口部
３３２    ：外周側突出片
３３３    ：内周側突出片
３３４    ：被係止片
３３４ａ  ：被係止部
３３５    ：被係止片
３３５ａ  ：被係止部
４        ：採風障子（副障子）
４１      ：副上框
４２      ：副下框
４３      ：右縦框
４４      ：右縦框
４５      ：パネル体
５        ：網戸
５１      ：網戸上框
５２      ：網戸下框
５３      ：網戸縦框
５４      ：網戸縦框
５５      ：網状体
５６      ：中桟
６        ：防止部品
６１      ：本体部
６２      ：係止腕
６３      ：係止腕
６４      ：位置決め凸部
６５      ：ネジ孔
６２１    ：係止部
６２１ａ  ：傾斜面
６２１ｂ  ：係止面
６３１    ：係止部
６３１ａ  ：傾斜面
６３１ｂ  ：係止面
【図１】
0006517707.tif 000002
【図２】
0006517707.tif 000003
【図３】
0006517707.tif 000004
【図４】
0006517707.tif 000005
【図５】
0006517707.tif 000006
【図６】
0006517707.tif 000007
【図７】
0006517707.tif 000008